(57)【特許請求の範囲】
【請求項１】
通常時にシャッターカーテンを開放、停止又は閉鎖するための操作スイッチと、非常時にシャッターカーテンを自重閉鎖するためにブレーキ装置を解除する手動閉鎖機構とを備えており、上記操作スイッチは、錠付き蓋により覆われた収納ボックス内に収納され、上記手動閉鎖機構は、錠付き蓋の側方に隣接して設けられた建築用シャッターの手動操作装置において、
上記手動閉鎖機構は、
全体が略Ｌ字状のもので、中央部が支軸回りに揺動可能に支持され、一端に上記ブレーキ装置を解除するためのワイヤが連結され、他端部が収納ボックスの前面と略面一で上記ワイヤを引っ張ってブレーキ装置を制動状態に戻す制動姿勢と他端部が収納ボックスの前面より前方に傾斜して突出し上記ワイヤを緩めてブレーキ装置を解除する解除姿勢とに操作される復帰レバーと、
この復帰レバーを制動姿勢にロックするロック機構と、
このロック機構によるロック状態を解除して上記復帰レバーを解除姿勢に変化させブレーキ装置を解除する押しボタンとを有しており、
上記押しボタンは、復帰レバーの下側近傍で収納ボックスの前面と略面一に設けられており、この押しボタンの押し動作を規制する誤操作防止ピンが錠付き蓋側の側方から出没可能に設けられ、この誤操作防止ピンは、錠付き蓋を開いた状態で出没操作可能でかつ押しボタン寄りに突出してその押し動作を規制する状態では押しボタンを所定力以上で押したとき破断するように設けられていることを特徴とする建築用シャッターの手動操作装置。
【請求項２】
上記ロック機構は、支軸回りに揺動可能に支持され、一端に上記復帰レバーに設けた係合ピンに係合するフック部が形成されたロック部材と、このロック部材の他端と上記押しボタンとを連結する連結部材と、上記ロック部材を支軸回りに係合ピンと係合する方向に付勢するばねとからなり、上記押しボタンは、支軸回りに揺動可能に支持されている請求項１記載の建築用シャッターの手動操作装置。
【発明の詳細な説明】
【０００１】
【発明の属する技術分野】
本発明は、建物の出入り口などに装備される建築用シャッターの手動操作装置に関する。
【０００２】
【従来の技術】
従来、この種の建築用シャッターの手動操作装置として、例えば特許文献１に開示されるように、通常時にシャッターカーテンを開閉機により開放、停止又は閉鎖するための３つの操作スイッチと、火災などの非常時にシャッターカーテンを自重閉鎖するために開閉機内のブレーキ装置を解除する手動閉鎖機構とを備えたものは知られている。
【０００３】
そして、このような手動操作装置においては、通常、操作スイッチは、錠付き蓋により覆われた収納ボックス内に収納されていて、合鍵を持たない者は勝手にシャッターカーテンの開放や閉鎖などの操作ができないようになっている。また、手動閉鎖機構は、錠付き蓋の側方近傍に揺動可能に支持されかつ収納ボックスの前面と略面一でブレーキ装置を解除するためのワイヤを引っ張ってブレーキ装置を制動状態に戻す制動姿勢と収納ボックスの前面より前方に傾斜して突出し上記ワイヤを緩めてブレーキ装置を解除する解除姿勢とに操作される復帰レバーと、この復帰レバーを制動姿勢にロックするロック機構と、このロック機構によるロック状態を解除して上記復帰レバーを解除姿勢に変化させブレーキ装置を解除する押しボタンとを有してなる。
【０００４】
【特許文献１】
特開平９−３２４５９０号公報（第２−４頁、図１、図３−図１０）
【０００５】
【発明が解決しようとする課題】
ところで、上記押しボタンは、誤操作を防止するために、操作スイッチと共に収納ボックス内に設けられ、錠付き蓋の押しボタンに対向する部位に押し破り可能な窓が形成されている。このため、非常時に押しボタンを押すのに手間取ったり、躊躇したりする虞がある。また、見栄えが悪いという問題もある。
【０００６】
本発明はかかる点に鑑みてなされたものであり、その課題とするところは、特に手動閉鎖機構の押しボタンの配置などを改良し、誤操作の防止化と非常時での操作容易性の向上とを共に図り、かつ見栄えも優れた建築用シャッターの手動操作装置を提供せんとするものである。
【０００７】
【課題を解決するための手段】
上記の課題を解決するため、請求項１に係る発明は、通常時にシャッターカーテンを開放、停止又は閉鎖するための操作スイッチと、非常時にシャッターカーテンを自重閉鎖するためにブレーキ装置を解除する手動閉鎖機構とを備えており、上記操作スイッチは、錠付き蓋により覆われた収納ボックス内に収納され、上記手動閉鎖機構は、錠付き蓋の側方に隣接して設けられた建築用シャッターの手動操作装置において、上記手動閉鎖機構を、全体が略Ｌ字状のもので、中央部が支軸回りに揺動可能に支持され、一端に上記ブレーキ装置を解除するためのワイヤが連結され、他端部が収納ボックスの前面と略面一で上記ワイヤを引っ張ってブレーキ装置を制動状態に戻す制動姿勢と他端部が収納ボックスの前面より前方に傾斜して突出し上記ワイヤを緩めてブレーキ装置を解除する解除姿勢とに操作される復帰レバーと、この復帰レバーを制動姿勢にロックするロック機構と、このロック機構によるロック状態を解除して上記復帰レバーを解除姿勢に変化させブレーキ装置を解除する押しボタンとによって構成する。また、上記押しボタンを、復帰レバーの下側近傍で収納ボックスの前面と略面一に設けるとともに、この押しボタンの押し動作を規制する誤操作防止ピンを錠付き蓋側の側方から出没可能に設け、この誤操作防止ピンを、錠付き蓋を開いた状態で出没操作可能でかつ押しボタン寄りに突出してその押し動作を規制する状態では押しボタンを所定力以上で押したとき破断するように設ける構成とする。
【０００８】
この構成では、手動閉鎖機構の押しボタンが制動姿勢にある復帰レバーと同様に収納ボックスの前面と略面一に設けられているため、見栄えが良くなる上、火災などの非常時にこの押しボタンを押すのに手間取ったり、躊躇したりすることはなく、操作容易性が高くなる。しかも、押しボタンを押す際には所定力以上に強く押して誤操作防止ピンを破断しないとロック機構によるロック状態の解除によりブレーキ装置の解除ひいてはシャッターカーテンの自重閉鎖が行われないので、誤操作が防止されることになる。さらに、シャッターカーテンが自重閉鎖するかを検査する時には、錠付き蓋を開いて誤操作防止ピンを移動操作した後、押しボタンを押すと、誤操作防止ピンを破断することなくシャッターカーテンの自重閉鎖の検査を行うことができる。
【０００９】
請求項２に係る発明は、請求項１記載の建築用シャッターの手動操作装置において、上記ロック機構の具体的な形態を提供するものである。すなわち、このロック機構を、支軸回りに揺動可能に支持され、一端に上記復帰レバーに設けた係合ピンに係合するフック部が形成されたロック部材と、このロック部材の他端と上記押しボタンとを連結する連結部材と、上記ロック部材を支軸回りに係合ピンと係合する方向に付勢するばねとにより構成し、また上記押しボタンを、支軸回りに揺動可能に支持する構成とする。この構成では、押しボタンを押したときには、この押しボタンが支軸回りに回動するとともに、この回動に伴って、連結部材を介して操作力がロック部材に伝達され、ばねの付勢力に抗してロック部材が支軸回りに回動してロック部材のフック部と復帰レバー側の係合ピンとの係合が解除されることにより、復帰レバーが解除姿勢に変化し、ワイヤを緩めてブレーキ装置が解除されることになる。
【００１０】
【発明の実施の形態】
以下、本発明の実施の形態を図面に基づいて説明する。
図１は本発明の一実施形態に係る手動操作装置を備えた建築用シャッターの全体構成を示し、１は建物の開口部２を開閉するシャッターカーテン、３は建物の開口部２の上縁側に巻き取りドラム（図示せず）と共に取り付けられたシャッター開閉機であって、このシャッター開閉機３は、図示していないが、巻き取りドラムにチェーンなどを介して動力伝達可能に連結され、この巻き取りドラムの正逆回転によりシャッターカーテン１をドラムに巻き取って開口部２を開放し、あるいはドラムからシャッターカーテン１を送り出して開口部２を閉鎖するようになっている。
【００１１】
上記シャッター開閉機３は、図示していないが、そのモータと出力軸との間で動力伝達を遮断するブレーキ装置を内蔵しており、このブレーキ装置に対応して、シャッター開閉機３の上部に自動閉鎖装置５が取り付けられている。この自動閉鎖装置５は、図示していないが、ソレノイドを内蔵し、火災による熱や煙を感知するセンサからの信号に基づいてソレノイドが作動して作動プレート６がシャッター開閉機３外に延出するブレーキ装置のブレーキレバー７を傾倒させることにより、ブレーキ装置を解除し、シャッターカーテン１が自重閉鎖するようになっている。また、自動閉鎖装置５には作動ワイヤ９の一端が接続されているとともに、この作動ワイヤ９の他端は、建物の開口部２の側縁側に設けられた、本発明の一実施形態に係る手動操作装置１０に接続され、この手動操作装置１０の後述する押しボタン２２を押し操作すると自動閉鎖装置５の作動プレート６がソレノイドの作動時と同様にブレーキレバー７を傾倒させてブレーキ装置を解除し、シャッターカーテン１が自重閉鎖する。
【００１２】
上記手動操作装置１０は、図２ないし図５に拡大詳示するように、箱型の収納ボックス１１と、この収納ボックス１１の前面板１１ａに設けた開口部１２にヒンジ１３，１３を支点として開閉自在に取り付けられた錠１４付きの開閉蓋１５と、この開閉蓋１５により覆われた収納ボックス１１内に収納された操作スイッチユニット１６と、開閉蓋１５の左側方に近接して設けられた手動閉鎖機構２０とを備えている。操作スイッチユニット１６は開放用、停止用及び閉鎖用の３つの操作スイッチ１６ａ，１６ｂ，１６ｃを有し、かつ図示していないがシャッター開閉機３を制御する制御盤にケーブルを介して接続されていて、通常電源が供給される通常時に各操作スイッチ１６ａ〜１６ｃを押すとシャッターカーテン１が開放、停止又は閉鎖の各動作をするようになっている。尚、収納ボックス１１内は、仕切り壁４３により操作スイッチユニット１６の配置側と手動閉鎖機構２０の配置側とに仕切られている。
【００１３】
また、上記手動閉鎖機構２０は、火災などの非常時にシャッターカーテン１を手動で自重閉鎖するためのものであり、収納ボックス１１の前面板１１ａの開口部１２に臨む上下２つの操作部材としての復帰レバー２１と押しボタン２２とを有している。復帰レバー２１は、収納ボックス１１の前面部１１ａの開口部１２に臨む表面部２１ａとこの表面部２１ａの両側から各々直角に折り曲げてなる左右一対の側面部２１ｂ，２１ｂとからなる、側方から見て全体が略Ｌ字状のものであり、この復帰レバー２１の中央部は、左右の側面部２１ｂ，２１ｂを貫通する支軸２３回りに揺動可能に支持されている。復帰レバー２１の収納ボックス１１奥側に延びる端部にはワイヤ固定軸２４が左右の側面部２１ｂ、２１ｂ間に回転自在に支持されて設けられ、このワイヤ固定軸２４には、収納ボックス１１内に導入された作動ワイヤ９のインナーワイヤ９ａが固定されている。作動ワイヤ９のアウターワイヤ９ｂは、収納ボックス１１内に設けたワイヤ取付部２５にアジャスターネジ部２６及びナット２７を介して固定されている。そして、復帰レバー２１は、その表面部２１ａ及びこれを主とする側の端部が収納ボックス１１の前面板１１ａと略面一で上記作動ワイヤ９（詳しくはインナーワイヤ９ａ）を引っ張ってブレーキ装置を制動状態に戻す制動姿勢（図４に実線で示す状態）と表面部２１ａ及びこれを主とする側の端部が収納ボックス１１の前面板１１ａより前方に傾倒して突出し上記作動ワイヤ９を緩めてブレーキ装置を解除する解除姿勢（図４に仮想線で示す状態）とに操作されるようになっている。
【００１４】
上記押しボタン２２は、上記復帰レバー２１の表面部２１ａの下側近傍で収納ボックス１１の前面板１１ａの開口部１２に臨む表面板２２ａと、この表面板２２ａの裏面に接合されかつ上記仕切り壁４３に隣接する側面板２２ｂとからなる。この押しボタン２２の側面板２２ｂは、復帰レバー２１の支軸２３にまで延び、この支軸２３回りに揺動可能に支持されている。そして、押しボタン２２の表面板２２ａを押すと復帰レバー２１を制動状態にロックするロック機構３０によるロック状態が解除して復帰レバー２１が解除姿勢に変化することにより、ブレーキ装置が解除するようになっている。
【００１５】
上記ロック機構３０は、ワイヤ取付部２５の上側近傍で支軸３１回りに揺動可能に支持され、一端に上記復帰レバー２１の左右の側面部２１ａ，２１ａ間に架設した係合ピン３２と係合するフック部３３ａが形成されたロック部材３３と、このロック部材３３の他端と上記押しボタン２２の側面板２２ｂとを連結する棒状の連結部材３４と、この連結部材３４の中間部に形成したばね掛け部３４ａと復帰レバー２１及び押しボタン２２の揺動中心である支軸２３との間に掛け渡され、上記ロック部材３３を支軸３１回りに係合ピン３２と係合する方向（図４で反時計方向）に付勢する引張りコイルばね３５とからなる。
【００１６】
さらに、上記押しボタン２２に対応して、収納ボックス１１内には押しボタン２２の押し動作を規制する誤操作防止ピン４０が設けられている。この誤操作防止ピン４０は、合成樹脂からなり、図６及び図７に拡大詳示するように、操作スイッチユニット１６を支持するための下部支持プレート４１に設けたガイド孔４２に沿って摺動操作可能な操作部４０ａと、この操作部４０ａの仕切り壁４３側端部に一体形成されかつ仕切り壁４３に設けた挿入孔４４に嵌入可能な大突起部４０ｂと、この大突起部４０ｂの先端に形成された小突起部４０ｃとを有している。そして、開閉蓋１５を開いたときには、誤操作防止ピン４０の操作部４０ａは摺動操作可能であり、この摺動操作により誤操作防止ピン４０の大突起部４０ｂ及び小突起部４０ｃが仕切り壁４３の挿入孔４４から押しボタン２２の背面側に突出して押しボタン２２の押し動作を規制し、またこの規制状態では押しボタン２２を所定力（７ｋｇｆ（６８．６Ｎ）程度）以上で押したとき小突起部４０ｃが押しボタン２２の側面部２２ｂにより破断するように設けられている。
【００１７】
尚、図１、図３及び図４中、４６は手動操作装置１０の収納ボックス１１に接続された電線管であって、この電線管４６内には作動ワイヤ９とケーブルとが配線されるようになっている。
【００１８】
従って、上記実施形態の手動操作装置１０においては、手動閉鎖機構２０の押しボタン２２が制動姿勢にある復帰レバー２１と同様に収納ボックス１１の前面板１１ａと略面一に設けられているため、見栄えが良くなる上、火災などの非常時にこの押しボタン２２を押すのに手間取ったり、躊躇したりすることはなく、操作容易性を高めることができる。しかも、押しボタン２２を押す際には所定力以上に強く押して誤操作防止ピン４０（詳しくはその小突起部４０ｃ）を破断しないとロック機構３０によるロック状態の解除によりブレーキ装置の解除ひいてはシャッターカーテン１の自重閉鎖が行われないので、誤操作を防止することができる。
【００１９】
さらに、シャッターカーテン１が自重閉鎖するかを定期的に検査する時などには、錠１４付きの開閉蓋１５を開いて誤操作防止ピン４０を、図６（ａ）に示す状態から（ｂ）に示す状態に移動操作した後、押しボタン２２を押すと、誤操作防止ピン４０を破断することなくシャッターカーテン１の自重閉鎖の検査を行うことができるので、実用性に優れた効果を有するものである。
【００２０】
尚、本発明は上記実施形態に限定されるものではなく、その他種々の実施形態を包含するものである。例えば上記実施形態では、復帰レバー２１を制動姿勢にロックするロック機構３０において、ロック部材３３を支軸３１回りに係合ピン３２と係合する方向に付勢するばねとして、連結部材３４のばね掛け部３４ａと復帰レバー２１及び押しボタン２２の揺動中心である支軸２３との間に掛け渡した引張りコイルばね３５を用いたが、本発明は、この引張りコイルばね３５の代わりに、ロック部材３３の揺動中心である支軸３１の外周に装着した捩りばねなどを用いてもよい。
【００２１】
【発明の効果】
以上のように、本発明における建築用シャッターの手動操作装置によれば、手動閉鎖機構の押しボタンが収納ボックスの前面と略面一に設けられているため、見栄えが良くなる上、非常時での操作容易性を高めることができるとともに、誤操作防止ピンにより押しボタンの誤操作を防止することができる。また、検査時には誤操作防止ピンを破断することなくシャッターカーテンの自重閉鎖の検査を行うことができ、実用性に優れた効果を有するものである。
【００２２】
特に、請求項２に係る発明では、簡単な構成のロック機構により押しボタンの押し操作により復帰レバーの制動姿勢から解除姿勢への変化ひいてはブレーキ装置の解除を実現することができるので、実施化を図る上で有利なものである。
【図面の簡単な説明】
【図１】本発明の実施形態に係る建築用シャッターの概略構成図である。
【図２】上記シャッターの手動操作装置の一部を切開した正面図である。
【図３】図２のＫ−Ｋ線における断面図である。
【図４】図２のＬ−Ｌ線における断面図である。
【図５】手動操作装置の収納ボックス本体を取り外した状態の底面図である。
【図６】図３のＭ−Ｍ線における拡大断面図である。
【図７】図６のＮ−Ｎ線における断面図である。
【符号の説明】
１    シャッターカーテン
９    作動ワイヤ
１０    手動操作装置
１１    収納ボックス
１１ａ  前面板
１４    錠
１５    開閉蓋
１６ａ，１６ｂ，１６ｃ    操作スイッチ
２０    手動閉鎖機構
２１    復帰レバー
２２    押しボタン
２３    支軸
３０    ロック機構
３１    支軸
３２    係合ピン
３３    ロック部材
３３ａ  フック部
３４    連結部材
３５    引張りコイルばね
４０    誤操作防止ピン
【図１】
0003631232.tif 000002
【図２】
0003631232.tif 000003
【図３】
0003631232.tif 000004
【図４】
0003631232.tif 000005
【図５】
0003631232.tif 000006
【図６】
0003631232.tif 000007
【図７】
0003631232.tif 000008